(57)【要約】【課題】  パネルの視認性あるいは操作性が低下して、ユーザに不便を強いる可能性を抑制する。【解決手段】  ユーザが操作可能な操作キーとエラーメッセージなどを表示する液晶表示板とが設けられた設置面９０ａとを有するパネル９０は、ＡＤＦ１００の使用時において原稿カバー８４よりも上方へ突出するとともにＡＤＦ１００から排出されてくる原稿Ｇに対向する規制面９０ｂを有している。また、パネル９０は、原稿カバー８４の下方に退避可能に設けられている。【選択図】        図２
2007124461.tif 000002
【特許請求の範囲】
【請求項１】
原稿が載置される原稿載置台と、
前記原稿載置台の上方に配され、前記原稿載置台に載置された原稿を覆う位置と前記原稿載置台を開放する位置との間を変位可能に設けられた原稿カバーと、
前記原稿カバーの上方において原稿を載置するための原稿トレイを有し、原稿トレイに載置された原稿を搬送して前記原稿カバーの上面に排出する原稿自動搬送装置と、
前記原稿載置台に載置された原稿表面における画像、あるいは前記原稿自動搬送装置により搬送されている原稿表面における画像を読み取る読取手段と、
前記原稿載置台における前記原稿自動搬送装置による原稿排出方向側の端部に配され、所定の情報を表示する表示部あるいはユーザにより操作可能な操作部が設けられた設置面を有するパネルとを備え、
前記パネルは、前記設置面と異なる面であって、前記原稿自動搬送装置の使用時において前記原稿カバーの上方に突出するとともに前記原稿自動搬送装置により排出される原稿の先端に対向してその位置を規制する規制面を有することを特徴とする画像読取装置。
【請求項２】
前記パネルは、前記原稿の排出方向およびそれとは反対の方向において、前記原稿載置台に対して変位可能に設けられたことを特徴とする請求項１に記載の画像読取装置。
【請求項３】
前記パネルは、前記原稿自動搬送装置の使用時において、前記原稿カバーよりも上方に突出して前記原稿の先端を前記規制面により規制可能な規制位置と前記原稿カバーよりも下方に退避した退避位置とに変位可能に設けられたことを特徴とする請求項１あるいは請求項２に記載の画像読取装置。
【請求項４】
前記原稿載置台は、前記規制位置と前記退避位置との間をスライド移動可能に支持するレール部材と、前記パネルを前記規制位置と前記退避位置とのそれぞれにおいて位置決めする位置決め部材とを備えたことを特徴とする請求項３に記載の画像読取装置。
【請求項５】
前記パネルを前記規制位置と前記退避位置との間を前記原稿載置台において揺動可能に支持する揺動支持部材と、前記パネルを前記規制位置と前記退避位置とのそれぞれにおいて位置決めする位置決め部材とを備えたことを特徴とする請求項３に記載の画像読取装置。
【請求項６】
前記原稿カバーは、前記原稿載置台の前記パネルが配された側の反対側にある端部において回動可能に支持されたことを特徴とする請求項１乃至請求項５の何れかに記載の画像読取装置。
【請求項７】
画像読取装置として請求項１乃至請求項６の何れかに記載の画像読取装置と、
記録媒体に画像を形成する画像形成部を有する画像形成装置とを一体的に備えたことを特徴とする複合機。
【請求項８】
前記画像形成装置は、画像が形成された記録媒体を前記原稿搬送装置による原稿排出方向と同一方向に排出する排出手段を備えたことを特徴とする請求項７に記載の複合機。
【発明の詳細な説明】
【技術分野】
【０００１】
本発明は、画像読取装置あるいは画像読取装置を備えた複合機に関し、特に、パネルの操作性あるいは視認性の低下を防ぐ技術に関する。
【背景技術】
【０００２】
従来より、画像読取装置およびそれを備えた複合機において、原稿の表面に形成された画像を読み取るための原稿自動搬送装置（以下「ＡＤＦ」という。）とフラットベッドとを備えたものがある。フラットベッドは通常、原稿を載置するための原稿載置台とその上面に載置された原稿を覆うための原稿カバーとを備え、原稿カバーは原稿載置台の上面を開放可能に設けられている。ＡＤＦは通常、原稿カバーの上方において原稿を積載可能な原稿トレイを有しており、原稿トレイから搬送された原稿は原稿カバーの上面に排出されるように配置されている。また、特許文献１にはＡＤＦの操作などのために、原稿載置台におけるＡＤＦによる原稿排出側の端部に所定の情報を表示する表示部あるいはユーザが操作するための操作部が設けられたパネルが設けられている。
【０００３】
これによると、パネルに対向するユーザに向かってＡＤＦから原稿が排出されるので、ユーザが排出された原稿を確認および回収することが容易となる。
【０００４】
【特許文献１】特開平８−３２８３３４号公報
【発明の開示】
【発明が解決しようとする課題】
【０００５】
しかしながら、ＡＤＦは複数枚の原稿を読み取るためにそれらを連続して搬送して原稿カバー上に重ねて排出することが可能であるが、先に排出された原稿が後から排出される原稿に押し出されるとパネルに被さるおそれがある。このように原稿がパネルに被さると、パネルの操作性あるいは視認性が低下してユーザに不便を強いる可能性がある。
【０００６】
そこで本発明は上述した問題点を解決するためになされたものであり、パネルが原稿載置台のＡＤＦによる原稿排出方向側の端部に設けられた場合において、ユーザに不便を強いる可能性を抑制することができる画像読取装置およびそれを備えた複合機を提供することにある。
【課題を解決するための手段】
【０００７】
この目的を達成するために、請求項１に記載の画像読取装置は、原稿が載置される原稿載置台と、原稿載置台の上方に配され、原稿載置台に載置された原稿を覆う位置と原稿載置台を開放する位置との間を変位可能に設けられた原稿カバーと、原稿カバーの上方において原稿を載置するための原稿トレイを有し、原稿トレイに載置された原稿を搬送して原稿カバーの上面に排出する原稿自動搬送装置と、原稿載置台に載置された原稿表面における画像、あるいは原稿自動搬送装置により搬送されている原稿表面における画像を読み取る読取手段と、原稿載置台における原稿自動搬送装置による原稿排出方向側の端部に配され、所定の情報を表示する表示部あるいはユーザにより操作可能な操作部が設けられた設置面を有するパネルとを備え、パネルは、設置面と異なる面であって、原稿自動搬送装置の使用時において原稿カバーの上方に突出するとともに原稿自動搬送装置により排出される原稿の先端に対向してその位置を規制する規制面を有することを特徴とする。
【０００８】
このような構成によると、パネルが原稿載置台における原稿自動搬送装置による原稿排出方向側の端部に設けられているが、パネルの規制面によって原稿の先端位置が規制されるので、排出された原稿がパネルの操作部あるいは表示部に被さることを防止できる。このようにして、パネルの操作性あるいは視認性が低下する可能性を抑制して、ユーザに不便を強いる可能性を抑制することができる。
【０００９】
また、パネルを原稿ストッパの代用とすることで、原稿カバーにおいて原稿ストッパを不要とすることができる。この結果、原稿カバーを上下方向に薄くすることで画像読取装置の小型化、軽量化が可能となる。さらに、原稿カバーの一端部が原稿載置台に対して上下方向に揺動可能に設けられた場合などにおいては、原稿カバー上に突出する原稿ストッパを省略することで、原稿カバーの揺動にともなって原稿ストッパが周囲の壁などに衝突して破損したり原稿カバーの持上げの障害となることを防止できる。
【００１０】
請求項２に記載の画像読取装置は、請求項１において、パネルは、原稿の排出方向およびそれとは反対の方向において、原稿載置台に対して変位可能に設けられたことを特徴とする。
【００１１】
このような構成によると、原稿自動搬送装置により排出される原稿のサイズに応じてパネルを原稿載置台に対して原稿の排出方向あるいはそれとは反対の方向に変位させることによって、原稿の端部をより好ましい状態で規制することが可能となる。例えば、排出される原稿の排出方向の長さが最も使用頻度の高い原稿よりも長い場合は、パネルを原稿の排出方向に変位させれば、規制面と原稿自動搬送装置との間隔が広がるので、原稿の端部が規制面に強く当たって傷ついたり折れ曲がったりする可能性を抑制できる。
【００１２】
請求項３に記載の画像読取装置は、請求項１あるいは請求項２において、パネルは、原稿自動搬送装置の使用時において、原稿カバーよりも上方に突出して原稿の先端を規制面により規制可能な規制位置と原稿カバーよりも下方に退避した退避位置とに変位可能に設けられたことを特徴とする。
【００１３】
このような構成によると、原稿の排出が終了した後に、パネルが原稿カバーよりも下方に退避した退避位置に変位されると、パネルにより規制されていた原稿の端部が露出されるので、原稿の回収が容易となる。
【００１４】
請求項４に記載の画像読取装置は、請求項３において、原稿載置台は、規制位置と退避位置との間をスライド移動可能に支持するレール部材と、パネルを規制位置と退避位置とのそれぞれにおいて位置決めする位置決め部材とを備えたことを特徴とする。
【００１５】
このような構成によると、レール部材によりパネルを滑らかに上下方向にスライド移動可能となり、位置決め部材によりパネルを規制位置と退避位置とのそれぞれにおいて確実に位置決め可能となる。
【００１６】
請求項５に記載の画像読取装置は、請求項３において、パネルを規制位置と退避位置との間を原稿載置台において揺動可能に支持する揺動支持部材と、パネルを規制位置と退避位置とのそれぞれにおいて位置決めする位置決め部材とを備えたことを特徴とする。
【００１７】
このような構成によると、揺動支持部材によりパネルを滑らかに揺動可能であり、位置決め部材によりパネルを規制位置と退避位置とのそれぞれにおいて確実に位置決め可能となる。
【００１８】
請求項６に記載の画像読取装置は、請求項１乃至請求項５の何れかにおいて、原稿カバーは、原稿載置台のパネルが配された側の反対側にある端部において回動可能に支持されたことを特徴とする。
【００１９】
このような構成によると、このように原稿カバーの回動中心が原稿載置台のパネルが配された端部の反対側にある端部に配されると、原稿カバーにおいて回動中心とは反対側、つまり原稿の排出方向側に原稿ストッパが設けられた場合、回動中心とは反対側の重量が増加して原稿カバーを持上げずらくなる場合がある。そこで、パネルを原稿ストッパの代用として、原稿カバーの原稿ストッパを省略することで原稿カバーが持上げずらくなる可能性を抑制できる。
【００２０】
請求項７に記載の複合機は、画像読取装置として請求項１乃至請求項６の何れかに記載の画像読取装置と、記録媒体に画像を形成する画像形成部を有する画像形成装置とを一体的に備えたことを特徴とする。
【００２１】
このような構成によると、本発明にかかる画像読取装置を複合機に適用したので、原稿カバーの原稿ストッパを省略して複合機の大型化を抑制することができる。
【００２２】
請求項８に記載の複合機は、請求項７において、画像形成装置は、画像が形成された記録媒体を原稿搬送装置による原稿排出方向と同一方向に排出する排出手段を備えたことを特徴とする。
【００２３】
このような構成によると、原稿自動搬送装置と排出手段の駆動系を上下方向において同一の投影内に配することができるので、複合機の小型化が可能となる。
【発明を実施するための最良の形態】
【００２４】
以下、本発明に係る実施の形態について図面を参照しながら説明する。
【００２５】
［実施例１］
＜複合機１０００の全体構成＞
図１は、実施例１における複合機１０００の斜視図である。図２は、実施例１における複合機１０００の中央断面図である。
【００２６】
複合機１０００は、図１および図２に示すように、画像形成装置としてのプリンタ１と、画像読取装置としてのスキャナ８とを備えている。
【００２７】
プリンタ１は、複合機１０００の下側に配置され、記録媒体としての記録紙Ｐの表面に所定の画像を形成する。
【００２８】
スキャナ８は、プリンタ１よりも上方に配置され、原稿Ｇの表面における画像を読み取る。
【００２９】
例えば、スキャナ８に読み取られた画像のデータはプリンタ１に送られ、プリンタ１はそのデータに基づいて記録紙Ｐの表面に画像を形成する。
【００３０】
＜プリンタ１の全体構成＞
プリンタ１は、図２に示すように、筐体２と、給紙ユニット１０と、画像形成部としての画像形成ユニット３００と、排出手段としての排紙ユニット７０と、メイン制御基板８９と駆動ユニット６（図８参照）とを備えている。
【００３１】
筐体２は、プリンタ１の内部を覆う。
【００３２】
給紙ユニット１０は、プリンタ１の下側に配され、画像形成ユニット３００へ記録紙Ｐを搬送する。
【００３３】
画像形成ユニット３００は、給紙ユニット１０よりも記録紙Ｐの搬送方向下流側に配され、給紙ユニット１０により搬送された記録紙Ｐに画像を形成する。
【００３４】
排紙ユニット７０は、画像形成ユニット３００よりも記録紙Ｐの搬送方向下流側に配され、画像形成ユニット３００により画像が形成された記録紙Ｐをプリンタ１の外部へ排出する。
【００３５】
メイン制御基板８９は、外部のコンピュータやスキャナ８から所定の信号や画像データを受け取って、複合機１０００全体を制御する。
【００３６】
駆動ユニット６は、図示しないモータやギヤを備えており、メイン制御基板８９により制御されて、画像形成ユニット３００と、給紙ユニット１０と、排紙ユニット７０とを駆動する。
【００３７】
筐体２には、図中矢印Ａ方向（以後「Ａ方向」とする。）側において開口部２ａが形成されるとともに、それを覆うカバー３が取り付けられている。カバー３はその下端部に回動軸４を有しており、回動軸４は筐体２において回動可能に支持されている。このような構成により、カバー３はその上端部を図中Ａ方向に移動させることにより、開口部２ａを開放することが可能である。
【００３８】
給紙ユニット１０は、給紙カセット１１と、分離ローラ１５と、搬送ローラ１９と、ガイド２１と、ガイド２３と、ガイド２５と、レジストローラ２７とを備えている。
【００３９】
給紙カセット１１は、記録紙Ｐが積層された状態でプリンタ１からＡ方向に引き出し可能に設けられ、上方が開放された箱型形状である。また、給紙カセット１１は、分離ローラ１５に対向配置されるとともにバネ１７ａにより分離ローラ１５に向けて付勢されている分離パッド１７を備えている。
【００４０】
分離ローラ１５は、給紙カセット１１の一端側の上方に設けられており、分離パッド１７との間で記録紙Ｐを一枚づつ分離しながらガイド２１およびガイド２５へ向けて送り出す。
【００４１】
ガイド２１およびガイド２５は、分離ローラ１５の上方に配され、分離ローラ１５から送り出されてきた記録紙Ｐを搬送ローラ１９へ案内する。
【００４２】
搬送ローラ１９は、１対のローラにより構成されており、ガイド２１およびガイド２５により案内されてきた記録紙Ｐをレジストローラ２７へ向けて搬送する。
【００４３】
ガイド２３は、搬送ローラ１９よりも上方に配され、ガイド２５とともに搬送ローラ１９から搬送されてくる記録紙Ｐをレジストローラ２７へ案内する。
【００４４】
レジストローラ２７は、ガイド２３およびガイド２５よりも記録紙Ｐの搬送方向下流側に配され、ガイド２３およびガイド２５により案内されてきた記録紙Ｐの先端をレジストコロ４３との間で狭持するとともに一旦停止させた後、所定のタイミングにおいて転写位置に向けて送り出す。
【００４５】
画像形成ユニット３００は、給紙ユニット１０により搬送されてきた記録紙Ｐの表面に画像を転写するプロセスカートリッジ３０と、露光ユニット５０と、プロセスカートリッジ３０により転写された画像を記録紙Ｐに定着させる定着ユニット６０とを備えている。
【００４６】
露光ユニット５０は、図示しないレーザダイオードやポリゴンミラーなどを備え、メイン制御基板８９から所定の画像データが送信される。露光ユニット５０は、この画像データに基づいてレーザ光を感光体ドラム３３へ向けて照射することにより、感光体ドラム３３の表面を露光する。
【００４７】
プロセスカートリッジ３０は、給紙ユニット１０の上方に配され、カバー３が図中時計周りに回動されて開口部２ａが開放されたときにＡ方向に引き出すことができるように設けられている。
【００４８】
プロセスカートリッジ３０は、現像剤収容室３１と、供給ローラ３９と、現像ローラ３７と、感光体ドラム３３と、転写ローラ３５と、帯電器４１と、レジストコロ４３とを備えている。
【００４９】
現像剤収容室３１には現像剤としてトナーが収容されている。現像剤収容室３１に収容されたトナーは図示しない攪拌部材により攪拌されながら供給ローラ３９に送られる。
【００５０】
供給ローラ３９は、現像剤収容室３１に隣接して設けられ、現像剤収容室３１から送られてくるトナーをさらに現像ローラ３７へ供給する。
【００５１】
現像ローラ３７は、供給ローラ３９に密着するように配置されるとともに、図示しないバイアス印加手段により現像バイアスが印加される。現像ローラ３７は、供給ローラ３９より供給されたトナーを担持するとともに正に帯電させる。
【００５２】
帯電器４１はスコロトロン型の帯電器であり、感光体ドラム３３に対向配置され、感光体ドラム３３の表面を正に帯電させる。
【００５３】
感光体ドラム３３は、現像ローラ３７に隣接して設けられている。感光体ドラム３３の表面は、帯電器４１により一様に正帯電される。その後、感光体ドラム３３の表面は、露光ユニット５０により露光されることにより他の部分より電位が低い静電潜像が形成される。そして、静電潜像が形成された感光体ドラム３３の表面に正に帯電されたトナーが現像ローラ３７から供給されることにより、静電潜像が顕像化されて現像剤像となる。
【００５４】
転写ローラ３５は、感光体ドラム３３に対向配置され、図示しないバイアス印加手段により転写バイアスが印加される。転写ローラ３５は、その表面に転写バイアスが印加されている状態において、現像剤像が形成された感光体ドラム３３との間（転写位置）で記録紙Ｐを狭持しながら搬送することにより、記録紙Ｐの表面に現像剤像を転写する。
【００５５】
レジストコロ４３は、レジストローラ２７に対向配置され、レジストローラ２７の回転に伴って従動回転する。
【００５６】
定着ユニット６０は、加熱ローラ６１と押圧ローラ６３とを備えている。
【００５７】
加熱ローラ６１は、金属製で筒形状をなし、ハロゲンランプからなるヒータを内装しており、そのヒータに図示しない電源より電力が供給されることで加熱される。
【００５８】
押圧ローラ６３は、この加熱ローラ６１に密着して従動回転する。
【００５９】
押圧ローラ６３は、転写位置において現像剤像が転写された後に送られてきた記録紙Ｐを加熱ローラ６１との間で狭持しながら搬送することで、記録紙Ｐに現像剤像を熱定着させる。
【００６０】
排紙ユニット７０は、ガイド７１と、ガイド７２と、ガイド７３と、排紙ローラ７５と、排紙トレイ７７とを備えている。
【００６１】
ガイド７１は、定着ユニット６０よりも図中矢印Ｂ方向側（以下「Ｂ方向」とする。Ｂ方向はＡ方向と反対方向である。）に配置されており、定着ユニット６０より搬送されてくる記録紙Ｐをガイド７２に向けて案内する。
【００６２】
ガイド７２およびガイド７３は、ガイド７１より案内されてくる記録紙Ｐを排紙ローラ７５に向けて案内する。
【００６３】
排紙ローラ７５は一対のローラであり、ガイド７２およびガイド７３により案内されてくる記録紙ＰをＡ方向へ向けて排出する。
【００６４】
排紙トレイ７７は、排紙ローラ７５の下方において筐体２と一体的に形成されており、排紙ローラ７５により排出されて落下してくる記録紙Ｐが積層される。
【００６５】
＜スキャナ８の全体構成＞
スキャナ８は、図１および図２に示すように、フラットベッド８１と原稿自動搬送装置１００（以下「ＡＤＦ１００」とする。）とを備えている。
【００６６】
フラットベッド８１は、原稿載置台８２と、読取手段としてのイメージセンサ８３と、読取制御基板８７と、原稿カバー８４と、パネル９０とを備えている。
【００６７】
原稿載置台８２は、原稿Ｇが載置される透明な原稿ガラス８５を上側において有している。
【００６８】
イメージセンサ８３は、原稿載置台８２の内部において原稿ガラス８５の下面に対向配置されて、ＡＤＦ１００により搬送されている原稿Ｇの表面における画像、あるいは原稿ガラス８５の上面に載置された原稿Ｇの表面における画像を読み取る。
【００６９】
イメージセンサ８３は、図２に示すように、ＡＤＦ１００により搬送されている原稿Ｇの表面における画像を読み取るときは原稿ガラス８５におけるＢ方向側に位置するＡＤＦ読取領域に対向配置され、原稿ガラス８５の上面に載置された原稿Ｇの表面における画像を読み取ときは原稿ガラス８５におけるＡ方向側に位置するＦＢ読取領域に対向配置される。
【００７０】
図３は、原稿ガラス８５の上面が開放された状態を示す斜視図である。図４は、原稿ガラス８５の上面が開放された状態を示す中央断面図である。
【００７１】
原稿カバー８４は、原稿載置台８２の上方に配され、Ｂ方向側の端部において回動軸８８を有しており、その回動軸８８が原稿載置台８２に回動可能に支持されている。このような構成により、原稿カバー８４は、図１および図２に示すように回動軸８８を支点にして原稿ガラス８５に載置された原稿Ｇを覆う位置と、図３および図４に示すように原稿ガラス８５の上面を開放する位置との間を回動可能となる。
【００７２】
パネル９０は、断面視が略扇形形状であり、原稿載置台８２におけるＡ方向側の端部（ＡＤＦによる原稿排出方向側の端部）に配されている。
【００７３】
パネル９０の上方を向く設置面９０ａには、図１に示すように、スキャナ８およびプリンタ１のエラーメッセージなどを表示する表示部としての液晶表示板９１と操作部としての操作キー９２とが設けられている。操作キー９２では、ユーザが複写モードおよびスキャナモードの選択指令や、スキャナ８の原稿読取指令などを入力することが可能である。
【００７４】
読取制御基板８７は図２に示すように原稿載置台８２の内部に配され、スキャナ８の制御などを行う。読取制御基板８７は、操作キー９２と接続線９６によって接続され、メイン制御基板８９と接続線９７によって接続されている。また、読取制御基板８７は、ＡＤＦ１００を駆動するＡＤＦ駆動ユニット１０４と接続線９９により接続され（図８参照）、イメージセンサ８３を駆動する図示しないモータと図示しない接続線により接続されている。
【００７５】
読取制御基板８７は、操作キー９２から原稿読取指令に基づく信号などを受けてＡＤＦ１００やイメージセンサ８３などを駆動したり、その信号をメイン制御基板８９に送信したりする。また、読取制御基板８７は、イメージセンサ８３により読み取られた画像データに補正処理などを施してそれをメイン制御基板８９に送信する。
【００７６】
また、読取制御基板８７は、ＡＤＦ１００の原稿トレイ１０１に図示しないセンサにより原稿Ｇが載っていると判断したときにはＡＤＦ１００を駆動して原稿Ｇを搬送し、イメージセンサ８３によりその原稿Ｇの画像を読み取らせる。そして、原稿トレイ１０１に原稿Ｇが載っていないと判断したときには原稿ガラス８５に載置された原稿Ｇの画像をイメージセンサ８５により読み取らせる。
【００７７】
ＡＤＦ１００は、原稿カバー８４に一体的に固定され、原稿トレイ１０１と、ピックアップローラ１０３と、分離ローラ１０５と、搬送ローラ１０７と、従動ローラ１０９と、従動ローラ１１１と、排紙ローラ１１３と、上板１１５と、ＡＤＦ駆動ユニット１０４（図８参照）とを備えている。
【００７８】
原稿トレイ１０１は、原稿カバー８４の上方においてＡ方向に伸びるように配され、複数枚の原稿Ｇを積層できるように設けられている。また、原稿トレイ１０１のＢ方向側端部には、分離ローラ１０５に接触する分離板１０１ａが一体的に設けられている。
【００７９】
ピックアップローラ１０３は、原稿トレイのＢ方向側端部の上方に配置され、原稿トレイ１０１に積層された原稿Ｇを分離ローラ１０５に向けて送り出す。
【００８０】
分離ローラ１０５は、分離板１０１ａに上側から対向するように配置され、ピックアップローラ１０３により送り出された原稿Ｇを分離板１０１ａとの間で狭持することで一枚ずつ分離しながら搬送ローラ１０７へ向けて送る。
【００８１】
搬送ローラ１０７は、分離ローラ１０５よりもＢ方向側に配置され、分離ローラ１０５により送られた原稿Ｇを従動ローラ１０９、１１１との間で狭持するとともに略Ｕ字に湾曲させながら上板１１５に向けて送る。
【００８２】
上板１１５は、搬送ローラ１０７よりもＡ方向側に配置され、搬送ローラ１０７により送られてきた原稿Ｇを、その原稿Ｇの表面が原稿ガラス８５のＡＤＦ読取領域を介してイメージセンサ８３と対向するように案内する。
【００８３】
排紙ローラ１１３は、上板１１５よりもＡ方向側に配置され、上板１１５を通過した原稿Ｇを原稿カバー８４の上面８４aに（Ａ方向に向けて）排出する。
【００８４】
図８は、複合機１０００を上方から見た平面図である。
【００８５】
ＡＤＦ駆動ユニット１０４は、図８に示すように、プリンタ１の駆動ユニット６の鉛直上方への投影内に配置され、図示しないモータやギヤを備えている。また、ＡＤＦ駆動ユニット１０４は、読取制御基板８７により制御されて、ピックアップローラ１０３と、分離ローラ１０５と、搬送ローラ１０７と、排紙ローラ１１３とを駆動する。
【００８６】
＜パネル９０＞
次に、本発明としての特徴をなすパネル９０について詳しく説明する。
【００８７】
原稿載置台８２は、図１に示すように原稿カバー８４よりもＡ方向側に突出した突出壁８２ａを有している。突出壁８２ａのＡ方向と直交するとともに水平を向く方向（図中Ｃ方向）における中央部には、図８に示すようにパネル９０を支持するための切欠部８２ｂが形成されている。
【００８８】
図５は、パネル９０の規制位置における拡大断面図である。
【００８９】
図６は、パネル９０の退避位置における拡大断面図である。
【００９０】
図７は、パネル９０が退避位置にあるときの、複合機１０００の斜視図である。
【００９１】
切欠部８２ｂのＡ方向を向く面には、図５および図６に示すように、パネル９０を位置決めするための凹部９５ａおよび凹部９５ａよりも下方に位置する凹部９５ｂが形成されている。
【００９２】
パネル９０は、図５および図６に示すように、前述の設置面９０ａに加え、規制面９０ｂと、揺動支持部材としての回動軸９４と、位置決め部材としての凸部９５とを有している。
【００９３】
規制面９０ｂは、Ｂ方向を向き、ＡＤＦ１００によりＡ方向に排出されてくる原稿Ｇの先端を規制可能に設けられている。
【００９４】
回動軸９４は、パネル９０のＡ方向側端部において形成され、図８に示すように、突出壁８２ａに回動可能に支持されている。このようにして、パネル９０が回動軸９４を軸にして揺動すると、規制面９０ｂもそれにともなって上下方向に揺動する。
【００９５】
凸部９５は、規制面９０ｂの下端部に形成されており、凹部９５ａおよび凹部９５ｂと係脱できる程度の弾性を有している。規制面９０ｂは、図５に示すように凸部９５が凹部９５ａに係合しているときにおいて、原稿カバー８４の上面８４ａよりも上方に突出してＡＤＦ１００より排出された原稿Ｇの先端を規制する規制位置に位置決めされる。また、規制面９０ｂは、図６に示すように凸部９５が凹部９５ｂに係合しているときにおいて、規制面９０ｂが原稿カバー８４の上面８４ａよりも下方に退避した退避位置に位置決めされる。
【００９６】
液晶表示板９１および操作キー９２は、図８に示すように読取制御基板８７と接続線９６により接続されている。また、接続線９６は、フレキシブルケーブルにより構成されている。
【００９７】
以上の構成により、原稿カバー８４が閉じられてＡＤＦ１００が使用されている時において、パネル９０が図１および図２および図５に示すように規制位置に位置決めされていれば、規制面９０ｂによってＡＤＦ１００により排出されてくる原稿Ｇの先端位置が規制される。
【００９８】
また、パネル９０が退避位置に位置決めされていれば、図６および図７に示すように、規制面９０ｂが原稿カバー８４の上面８４ａよりも下方に位置することで、規制面９０ｂにより規制されていた原稿Ｇの端部が露出されるので、原稿Ｇを容易に回収することができる。
【００９９】
＜パネル９０の構成による効果＞
次に、パネル９０の構成による効果について説明する。
【０１００】
パネル９０が原稿載置台８４におけるＡＤＦ１００による原稿排出方向側（Ａ方向側）の端部に設けられているが、パネル９０が規制位置に位置決めされていれば規制面９０ｂによってＡＤＦ１００により排出されてくる原稿Ｇの先端位置が規制されるので、この原稿Ｇがパネル９０の液晶表示板９１および操作キー９２に被さる可能性は低下する。このようにして、パネル９０の視認性あるいは操作性が低下して、ユーザに不便を強いる可能性を抑制できる。
【０１０１】
また、パネル９０でＡＤＦ１００から排出されてくる原稿Ｇの先端を規制可能であるので、原稿カバー８４において原稿ストッパを設ける必要がない。この結果、原稿ストッパを設けるために原稿カバー８４を上下方向に厚くする必要がないので複合機１０００の上下方向のサイズをコンパクト化できる。
【０１０２】
さらに、原稿カバー８４の回動軸８８は、原稿載置台８２のパネル９０が配された側とは反対側に設けられているので、原稿カバー８４のＡ方向側（回動軸８８とは反対側）に原稿ストッパが設けられると、回動軸８８とは反対側の重量が増加して原稿カバー８４を持上げずらくなる。本実施例においては、原稿カバー８４の原稿ストッパを不要としているので、原稿カバー８４が持上げづらくなることを防止できる。
【０１０３】
さらに、原稿カバー８４のＡ方向側（回動軸８８とは反対側）において原稿カバー８４の上面から突出した原稿ストッパが設けられると、原稿カバー８４が持上げられるときに原稿ストッパが周囲の壁などに衝突して破損したり、あるいは原稿カバー８４の持上げの障害になる可能性があるが、本実施例では原稿ストッパを不要としているでそのようなことを防止できる。
【０１０４】
また、パネル９０は、規制面９０ｂが原稿カバー８４の上面８４ａよりも下方に退避した退避位置に揺動可能であるので、ＡＤＦ１００から排出されて規制面９０により規制されていた原稿Ｇの端部が露出されるので、ユーザは原稿Ｇをより容易に回収することができる。
【０１０５】
また、パネル９０は、回動軸９４により原稿載置台８２に揺動可能に支持されているので、滑らかに揺動可能である。さらに、凸部９５により規制位置と退避位置との夫々に確実に位置決め可能である。
【０１０６】
また、給紙カセット１１のプリンタ１からの引き出し方向と、パネル９０の設置面９０ａと、ＡＤＦ１００による原稿Ｇの排出方向と、プロセスカートリッジ３０のプリンタ１からの引き出し方向と、プリンタ１による記録紙Ｐの排紙方向とが全てＡ方向を向いている。この結果、ユーザは、パネル９０の設置面９０ａに対面した状態で、パネル９０の操作、原稿Ｇの回収、プロセスカートリッジ３０の引き出し、給紙カセット１１の引き出し、記録紙Ｐの回収を行うことができ、使い勝手がよい。また、複合機１０００のＡ方向側のみを開放しておけばよいので、省スペース化となる。
【０１０７】
［実施例２］
次に、実施例２について説明する。実施例２においては、パネル２１０および突出壁２０１ａの構成が実施例１と異なり、それ以外の部分は実施例１と同様である。よって、同様の部分の説明については省略する。
【０１０８】
図９は、パネル２１０が規制位置に位置決めされたときの拡大断面図である。
【０１０９】
図１０は、パネル２１０が退避位置に位置決めされたときの拡大断面図である。
【０１１０】
原稿載置台２０１は、図９および図１０に示すように、Ａ方向側に向かって長方形状に突出した突出壁２０１ａを有している。
【０１１１】
突出部２０１ａの切欠部２０１ｂのＡ方向を向く面には、図９および図１０に示すように、パネル２１０を位置決めするための凹部２１５ａおよび凹部２１５ｂが形成されている。また、突出部２０１ａには、パネル２１０を上下方向にスライド可能に支持するレール部材としての溝２０３が形成されている。
【０１１２】
パネル２１０は、設置面２１０ａと、規制面２１０ｂと、凸部２１５と、スライド部材２１３とを備えている。
【０１１３】
設置面２１０ａは、Ａ方向を向き、液晶表示板および操作キーが設けられている。
【０１１４】
規制面２１０ｂは、Ｂ方向を向き、原稿カバー８４の上面８４ａよりも上方に突出可能に設けられている。
【０１１５】
図１１は、突出壁２０１ａおよびパネル２１０を下方から見た平面図である。
【０１１６】
スライド部材２１３は、図１１に示すように突出壁２０１ａの溝２０３に対して上下方向にスライド可能に係合している。
【０１１７】
凸部２１５は、規制面２１０ｂの下端部に形成されており、凹部２１５ａおよび凹部２１５ｂと係合できる程度の弾性を有している。規制面２１０ｂは、凸部２１５が凹部２１５ａに係合しているときにおいて、原稿カバー８４の上面８４ａよりも上方に突出してＡＤＦ１００より排出された原稿Ｇの先端を規制する規制位置に位置決めされる。また、規制面２１０ｂは、凸部２１５が凹部２１５ｂに係合しているときにおいて、原稿カバー８４の上面８４ａよりも下方に退避した退避位置に位置決めされる。
【０１１８】
以上の構成により、パネル２１０が規制位置に位置決めされていれば規制面２１０ｂによってＡＤＦ１００により排出されてくる原稿Ｇの先端位置が規制されるので、排出された原稿Ｇがパネル２１０の液晶表示板および操作キーに被さる可能性は低下する。このようにして、パネル２１０の視認性あるいは操作性が低下して、ユーザに不便を強いる可能性を抑制できる。
【０１１９】
[実施例３]
次に、実施例３について説明する。実施例３においては、パネル３１０および突出壁３０１ａの構成が実施例１と異なり、それ以外の部分は実施例１と同様である。よって、同様の部分の説明については省略する。
【０１２０】
図１２は、パネル３１０がＡ側位置に位置決めされたときの拡大断面図である。
【０１２１】
図１３は、パネル３１０がＢ側位置に位置決めされたときの拡大断面図である。
【０１２２】
原稿載置台３０１は、図１２および図１３に示すように、Ａ方向側に向かって楔形状に突出した突出壁３０１ａを有している。
【０１２３】
突出部３０１ａには、パネル３１０をＡ方向およびＢ方向にスライド可能に支持する溝３０３が形成されている。
【０１２４】
パネル３１０は、設置面３１０ａと、規制面３１０ｂと、スライド部材３１３とを備えている。
【０１２５】
設置面３１０ａは、Ａ方向を向き、液晶表示板および操作キーが設けられている。
【０１２６】
規制面３１０ｂは、Ｂ方向を向き、原稿カバー８４の上面８４ａよりも上方に突出して設けられている。
【０１２７】
スライド部材３１３は、突出壁３０１ａの溝３０３に対してＡ方向およびＢ方向にスライド可能に係合している。
【０１２８】
以上の構成により、ＡＤＦ１００により排出される原稿Ｇのサイズに応じてパネル３１０を原稿載置台３０１に対して原稿Ｇの排出方向（Ａ方向）あるいはそれとは反対の方向（Ｂ方向）にスライド移動させることにより、原稿Ｇの端部をより好ましい状態で規制することが可能となる。例えば、排出される原稿Ｇの排出方向の長さがもっとも使用頻度の高い原稿よりも長い場合は、パネル３１０をＡ方向にスライド移動させれば、規制面３１０ｂとＡＤＦ１００との間隔が広がるので、原稿Ｇの端部が規制面３１０ｂに強く当たって傷ついたり折れ曲がったりする可能性を抑制できる。
【図面の簡単な説明】
【０１２９】
【図１】実施例１における複合機１０００の斜視図である。
【図２】実施例１における複合機１０００の中央断面図である。
【図３】原稿ガラス８５の上面が開放された状態を示す斜視図である。
【図４】原稿ガラス８５の上面が開放された状態を示す中央断面図である。
【図５】パネル９０の規制位置における拡大断面図である。
【図６】パネル９０の退避位置における拡大断面図である。
【図７】パネル９０が退避位置にあるときの、複合機１０００の斜視図である。
【図８】複合機１０００を上方から見た平面図である。
【図９】パネル２１０が規制位置に位置決めされたときの拡大断面図である。
【図１０】パネル２１０が退避位置に位置決めされたときの拡大断面図である。
【図１１】図１１は、突出壁２０１ａおよびパネル２１０を下方から見た平面図である。
【図１２】パネル３１０がＡ側位置に位置決めされたときの拡大断面図である。
【図１３】パネル３１０がＢ側位置に位置決めされたときの拡大断面図である。
【符号の説明】
【０１３０】
８４    原稿載置台
９０    パネル
９０ａ  設置面
９０ｂ  規制面
９４    回動軸
９５    凸部
９５ａ  凹部
９５ｂ  凹部
９１    液晶表示板
９２    操作キー
１００  ＡＤＦ
【図１】
2007124461.tif 000003
【図２】
2007124461.tif 000004
【図３】
2007124461.tif 000005
【図４】
2007124461.tif 000006
【図５】
2007124461.tif 000007
【図６】
2007124461.tif 000008
【図７】
2007124461.tif 000009
【図８】
2007124461.tif 000010
【図９】
2007124461.tif 000011
【図１０】
2007124461.tif 000012
【図１１】
2007124461.tif 000013
【図１２】
2007124461.tif 000014
【図１３】
2007124461.tif 000015